(57)【要約】【課題】カーブコンベヤにおいてより大量の搬送が出来るようにすること。ベルトスピードを高速化すること。より小さな半径でも搬送できるようにすること。【解決の手段】ベルトコンベヤのキャリア側においてカーブ部にベルトの端面を押える押さえローラーを並べ、ベルトが内周側に向けて片寄らないように、また外周側に向けて蛇行しないように押える。コンベヤベルトのリターン側においてベルトの両端、又はカーブの内周側に挟みローラーを設けてベルトが内周側に向けて片寄らないように押える。またベルトの走行方向を調整することも可能で、蛇行防止、ローリング防止を可能にする。【選択図】図１
2005089187.tif 000002
【特許請求の範囲】
【請求項１】
カーブコンベヤにおいて、キャリア側カーブ部のコンベヤベルトの両端をローラーで押える。ローラーの設置はカーブ部のみとし、適宜な距離をおいてコンベヤフレームに接合する。ローラーは直線部には設置しない。コンベヤベルト用キャリアローラー及び支持ローラーセットは、ＪＩＳ３０°〜４５°のトラフ型を使用することが可能である。このことによりコンベヤベルト上の一定区間により大量に積載できることとベルトスピードの高速化が計られるため大量に搬送できる利点が生まれる。
【請求項２】
カーブ部におけるリターン側ベルトの保持は、フラットな状態で従来どおりのＪＩＳに基づく上下２セットのリターンローラーによって保持する。
リターン側においてベルトの曲がりを矯正するのは、コンベヤフレームに取りつけられたリターンベルト挟みローラーによる。リターンベルト挟みローラーは中央部分にベルトの厚みより少し広い幅の溝が切られており、この溝でコンベヤベルトの端部を軽く挟みコンベヤベルトのリターン側をカーブに沿ってガイドする機構である。またリターンベルト挟みローラーの前後いずれかの近傍をフラットローラーで上下にはさみこんでベルトのたわみをとり、コンベヤベルトの曲走部の蛇行、ローリングを防止する。
【発明の詳細な説明】
【技術の分野】
【０００１】  本発明は、カーブコンベヤにおいてそのカーブ部分で容易にベルトを曲走させ、搬送物の荷こぼれを防止するものである。押えローラーによってキャリア側ベルト端面を積載面に対して直角に押える。また挟みローラーによってリターン側ベルト端面を軽く挟む。このようにしてコンベヤベルトのローリングを防止し、ベルトの水平状態を保ちながら曲走させる特徴を持つ。
【背景技術】
【０００２】  近年、カーブコンベヤの実用化が少しずつ見なおされ始めてきた。従来は、コンベヤを直線に配置することが難しい場合は、多数の直線コンベヤを乗り継がせることでその目的を達成していた。また曲走部においてベルトを円筒状に巻きながら曲走させることでベルトのローリングによる荷こぼれを防止していた。【０００３】  しかし多数の直線コンベヤを乗り継がせる従来の方法では、コンベヤ１基ごとに駆動部ヘッド部、テール部、ベルト緊張装置等の構造が必要となること、また乗り継ぎ部では、シュート、スカート、架台等を必要とするためコスト面で不経済である。他にもそれぞれのコンベヤ、乗り継ぎ部について給油、調整、荷こぼれ対策が必要なためその維持管理にも多大な労力を必要とする。【０００４】  コンベヤベルトメーカーによってカーブ部分でベルトを円筒状に巻き、搬送物の荷こぼれを防止しながら曲走させる円筒コンベヤが発表され実用化された。しかしながらこのコンベヤは搬送量に対してベルト幅が過大になること。またベルトを円筒状に丸め込むため小半径の曲折が困難であった。【０００５】  曲走コンベヤーは更に進化し、搬送物搬送トラス側はＪＩＳキャリヤーを用いてリターン側のみベルトを包み込む方式でのメーカーの発表もあったがベルトにくせがつき易く、１年程度使用するとベルトの両端部が折れ込む等の問題があった。【０００６】  その後当社が提案したへびコンは、ベルトをＵ字形状にローラーによって成形して曲走させるコンベヤとして実用化された。ベルト幅に対する積載量も大きくなったが、ベルトスピードの高速化が現在の課題である。【０００７】  へびコンにおいてベルトスピードを上げると曲走部でベルトのローリングが発生するのが問題であった。キャリア部のベルトは３０°または４５°のトラフ形状とし、曲走部のキャリア側に押えローラーを多数配列し、ベルトの端面を押えることでローリングを防止し、ベルトスピードの高速化を図れないか。
【発明の開示】
【発明が解決しようとする課題】
【０００８】  解決しようとする課題は、カーブコンベヤにおいて搬送量の拡大を図ると共にベルトスードを高速化することである。またキャリヤ側ベルトとリターン側ベルトの蛇行を防止することである。
【課題を解決するための手段】
【０００９】  本発明は、従来のＪＩＳによるキャリアローラーで構成されたキャリアローラーセットに載せたベルトの端面を多数の押えローラーで押えることでベルトのローリングを抑制し、その曲走とベルトスピードの向上を可能せしめるものである。【００１０】  本発明は従来のＪＩＳによるリターンローラー上を走行するベルト端面を曲走部においてカーブの内周側と外周側から中央部に溝のあるローラーで挟むことによってベルトの曲走を可能にするものである。中央部に溝のあるローラーは内周側と外周側を一対として用いコンベヤフレームに固定される。【００１１】  カーブ部においてコンベヤベルトは挟みローラーに案内されて曲走する。カーブの内側でベルトはたくれた状態となり、カーブの外側は伸びた状態となって挟みローラーから外れて脱落する。ベルトの脱落を防ぐために挟みローラーの前後近傍いづれかに２本のフラットローラーを配置してベルトを上下から挟み、ベルトの伸びを抑えることで脱落を防止する。
【発明の効果】
【００１２】  本発明によって、キャリアローラーセットとリターンローラーセットについては従来品を使用しながら、キャリア側曲走部内側に押えローラーを、リターン側に挟みローラーを用いることでカーブコンベヤは、曲走部のローリングを抑制し、コンベヤスピードの高速化と曲率半径５０メートル以下の曲走が可能になった。
【発明を実施するための最良の形態】
【００１３】  可能な限り従来のＪＩＳに基づく部品を使用し、カーブコンベヤの搬送速度の高速化を実現した。
【実施例１】
【００１４】  図１は、本発明装置の実施例の断面図である。１．はリターンベルト、２．は左右２個ある深い溝を持つ挟みローラー、５．ラジアルベアリング、７．スラストベアリング、６．軸３．は左右２個の挟みローラーを連結するフレーム、４．はフレームとコンベヤを連結するブラケット金具である。挟みローラーを取付る間隔は、従来のリターンローラーの取付ピッチと同様に２．５メートルから３メートルで取りつけられる。リターンローラーは、従来よりあるＪＩＳローラーをそのまま使用し、カーブ部においてカーブ内周側、外周側ともに挟みローラーを設置してベルトの曲走をガイドする。図６に示すように挟みローラーをカーブ部の内周側にのみ設置した場合でも容易に曲走する場合においては内周側にのみ設置する。
【実施例２】
【００１５】  キャリアローラーは、従来よりある市販のＪＩＳローラーを使用し、カーブ部のキャリア側には、ベルトの端部を押える押えローラーを設置する。これはベルトがカーブの内側に向けてずり上がるのを防ぐために用いられる。図３はキャリア側ベルトと押えローラーの関係図であり、ベルトの端面を押えローラーがほぼ直角に押えることで蛇行とローリングを抑制する。ベルト側面よりみて押えローラーはベルト進行方向に対してほぼ直角に取り付けられ、その取付ピッチは５００ミリ〜２０００ミリであり、カーブの曲率に応じて適宜にピッチを変更する。【００１６】  ベルトは、カーブ部においてカーブ内周側に昇ろうとする運動をおこす。ベルトの端部は１０〜２０ｍｍの厚みを持つ。カーブの内周側に適宜に押えローラーを配置し、ベルトの端部を押すことによってベルトが標準走行仮定位置を走行するようになる。非常に小さなアールでもベルトを蛇行せずに走行させることができる。このときカーブ外周側にも適宜なピッチで押えローラーを設置する。
【産業上の利用の可能性】
【００１７】  従来カーブするコンベヤは、小さいアールを描いて搬送物を搬送することが困難であったがＪＩＳ標準のトラフを採用しながら、またリターン側についてもベルトを垂直に立てる等の複雑な構造を用いることなく低コストなカーブコンベヤの高速化が実現できる。
【図面の簡単な説明】
【００１８】
【図１】カーブコンベヤのリターン側のベルトをガイドする実施の方法を示した説明図である。
【図２】カーブコンベヤのリターン側ベルト挟みローラーの実施の方法を示した説明図である。
【図３】カーブコンベヤの搬送側ベルトの実施の方法を示した説明図である。
【図４】キャリア側の実施の方法を示した断面図である。
【符号の説明】
【００２０】１．  コンベヤベルト
２．  挟みローラー
３．  ローラーつなぎフレーム
４．  フレーム取付ブラケット
５．  ベアリング
６．  ローラー軸
７．  押さえローラー
８．  キャリアローラー
９．  フラットローラー
【図１】
2005089187.tif 000003
【図２】
2005089187.tif 000004
【図３】
2005089187.tif 000005
【図４】
2005089187.tif 000006